(57)【要約】【課題】ディスプレイスクリーン効果を備えた噴水装置を提供する。【解決手段】ディスプレイスクリーン効果を備えた噴水装置はボックス体１、ボックス体１に設置する回転噴水ユニット２、スイング噴水ユニット３、カラフル噴水ユニット４、間欠噴水ユニット５、フォグマシン６、レーザープロジェクター８を備え、回転噴水ユニット２、スイング噴水ユニット３は回転及びスイングする水柱を産生し、カラフル噴水ユニット４はさまざまな色で光る水柱を産生し、間欠噴水ユニット５は間欠的に投射水柱を噴出し、フォグマシン６は霧状の煙幕を産生し、レーザープロジェクター８により文字或いは図案を投射し、ボックス体１内で各種異なる形態の噴水ショーを構成し、広告表示の効果を兼ね備え、事業所或いは店舗に設置し消費者を惹きつける目的を達成できる。【選択図】図１
0003232473.tif 000002
【実用新案登録請求の範囲】
【請求項１】
ディスプレイスクリーン効果を備えた噴水装置は、ボックス体、及び該ボックス体に設置する回転噴水ユニット、スイング噴水ユニット、カラフル噴水ユニット、間欠噴水ユニット、フォグマシン、レーザープロジェクターを備え、
該ボックス体は、水源に連接する管体及びコントロール回路を設置し、
該回転噴水ユニットは、該ボックス体内に設置し、台座体を設置し、該台座体には、放射状配列の複数の噴射ヘッドを設置し、該台座体により出水バルブ及び水量調整部材に連接し、該水量調整部材は該管体に連接し、しかも該水量調整部材は該コントロール回路に連接し、出水量をコントロールし、これにより水流が該管体から該各噴射ヘッドに流入すると、該各噴射ヘッドを回転させ、回転水柱が産生され、
該スイング噴水ユニットは、該ボックス体内に設置し、複数の台座体を設置し、該各台座体には、噴射ヘッドをそれぞれ設置し、該各台座体は、出水バルブ及び水量調整部材に連接し、該水量調整部材は該管体に連接し、該各噴射ヘッドは、モーターに連接し、該水量調整部材及び該モーターは、該コントロール回路に連接し、出水量及び該各噴射ヘッドのスイングをコントロールし、これにより水流が該管体から該各噴射ヘッドに流入すると、該モーターにより該各噴射ヘッドの噴水のスイングを駆動し、スイング水柱が産生され、
該カラフル噴水ユニットは、該ボックス体内に設置し、台座体を設置し、該台座体には、噴射ヘッド及びさまざまな色に変化するプロジェクションライトを設置し、該台座体は、出水バルブ及び水量調整部材に連接し、該水量調整部材は該管体に連接し、該プロジェクションライト及び該水量調整部材は、該コントロール回路に連接し、出水量及び該プロジェクションライトの色変化をコントロールし、これにより水流が該管体から該噴射ヘッドへ流入すると、該プロジェクションライトに対応し、カラフルな噴水の水柱を産生し、
該間欠噴水ユニットは、該ボックス体内に設置し、台座体を設置し、該台座体には、出水口を設置し、該台座体内部には、整流空間及び収容設置区を設置し、該整流空間は、該管体に連接し、該収容設置区には、遮蔽片を設置し、該遮蔽片は、電磁バルブに連接し、該電磁バルブは、該コントロール回路に連接し、出水口に対する該遮蔽片の遮蔽或いは離脱をコントロールし、これにより水流は該管体から該整流空間及び該収容設置区に入った後、該出水口から、間欠的に投射水柱を噴出し、
該フォグマシンは、該ボックス体内に設置し、該管体及び該コントロール回路に連接し、霧状の煙幕を産生し、
該レーザープロジェクターは、該ボックス体内に設置し、該コントロール回路に連接し、該煙幕に文字或いは図案を投射することを特徴とするディスプレイスクリーン効果を備えた噴水装置。
【請求項２】
前記回転噴水ユニットの該各噴射ヘッドは、偏心設計の出水口を設置し、
偏心設計の該各出水口により、該各噴射ヘッドは回転し、回転水柱が産生されることを特徴とする請求項１に記載のディスプレイスクリーン効果を備えた噴水装置。
【考案の詳細な説明】
【技術分野】
【０００１】
本考案はディスプレイスクリーン効果を備えた噴水装置に関し、特に各種異なる形態の噴水ショーを構成でき、広告表示効果も兼ね備えたディスプレイスクリーン効果を備えた噴水装置に関する。
【背景技術】
【０００２】
一般の事業所或いは店舗では、消費者を惹きつけるため、通常は入口或いは目に付く場所に、液晶ディスプレイなどを設置し、広告画像や文字などを映し出す。
または、ぬいぐるみ等を置いて、消費者の注意を惹こうとすることもある。
いずれの場合も、広告内容を視聴させた後に、内部へ足を踏み入れてもらい、消費に結びつけ、実質的な販売促進効果を達成しようとするものである。
【０００３】
上記した従来の液晶ディスプレイ及びぬいぐるみによる宣伝方法は、表現がマンネリで変化に欠けるため、足を止めて見たとしても、広告内容が消費者の意識に確実に残ることは難しく、消費者の足を店内に向かわせ消費に結びつけることは困難である。
そのため、本考案者は各種異なる形態の噴水ショーと広告表示効果により、消費者を惹きつける目的を達成できるディスプレイスクリーン効果を備えた噴水装置を開発した。
【先行技術文献】
【特許文献】
【０００４】
【特許文献１】登録実用新案第３０３２１１１７号公報
【特許文献２】特開２０１３−１３９０３１号公報
【考案の概要】
【考案が解決しようとする課題】
【０００５】
本考案の目的は、事業所或いは店舗に設置し、各種異なる形態の噴水ショーを構成し、広告表示効果をも兼ね備え、消費者の足を店内に向かわせ消費に結びつける目的を達成できるディスプレイスクリーン効果を備えた噴水装置を提供することである。
【課題を解決するための手段】
【０００６】
ディスプレイスクリーン効果を備えた噴水装置は、ボックス体、及び該ボックス体に設置する回転噴水ユニット、スイング噴水ユニット、カラフル噴水ユニット、間欠噴水ユニット、及びフォグマシン、レーザープロジェクターを備える。
該回転噴水ユニット及びスイング噴水ユニットは、回転及びスイングする水柱を産生する。
該カラフル噴水ユニットは、カラフルなさまざまな色で光る水柱を産生する。
該間欠噴水ユニットは、間欠的に投射水柱を噴出する。
該フォグマシンは、霧状の煙幕を産生し、レーザープロジェクターにより文字或いは図案を投射する。
こうして、ボックス体内で各種異なる形態の噴水ショーを構成し、及び広告表示の効果を兼ね備え、事業所或いは店舗に設置し、消費者を惹きつける目的を達成できる。
【０００７】
前述のディスプレイスクリーン効果を備えた噴水装置の回転噴水ユニットは、台座体を設置し、該台座体には、放射状に配列され、しかも出水口が偏心設計である複数の噴射ヘッドを設置し、該台座体により出水バルブ及び水量調整部材に連接し、該水量調整部材は管体に連接し、該水量調整部材は、コントロール回路に連接し、出水量をコントロールする。
これにより、水流が該管体から該各噴射ヘッドに流入すると、噴射ヘッドは回転し、回転水柱が産生される。
【０００８】
前述のディスプレイスクリーン効果を備えた噴水装置のスイング噴水ユニットは、複数の台座体を設置し、該各台座体には、噴射ヘッドをそれぞれ設置し、該各台座体は、出水バルブ及び水量調整部材に連接し、該水量調整部材は該管体に連接し、該各噴射ヘッドは、モーターに連接し、該水量調整部材及び該モーターは、該コントロール回路に連接し、出水量及び該各噴射ヘッドの噴水のスイングをコントロールする。
これにより、水流が該管体から噴射ヘッドに流入すると、該モーターにより該各噴射ヘッドの噴水のスイングを駆動し、スイング水柱が産生される。
【０００９】
前述のディスプレイスクリーン効果を備えた噴水装置の該カラフル噴水ユニットは、台座体を設置し、該台座体には、噴射ヘッド及びさまざまな色に変化するプロジェクションライトを設置し、該台座体は、出水バルブ及び水量調整部材に連接し、水量調整部材は該管体に連接する。
該プロジェクションライト及び該水量調整部材は、該コントロール回路に連接し、出水量及び該プロジェクションライトの色変化をコントロールし、これにより水流が該管体から該噴射ヘッドへ流入すると、該プロジェクションライトに対応し、カラフルな水柱を産生する。
【００１０】
前述のディスプレイスクリーン効果を備えた噴水装置の間欠噴水ユニットは、台座体を設置し、該台座体には、出水口を設置し、該台座体内部には、整流空間及び収容設置区を設置し、該整流空間は、該管体に連接し、該収容設置区には、遮蔽片を設置し、該遮蔽片は、電磁バルブに連接し、該電磁バルブは、該コントロール回路に連接し、出水口に対する該遮蔽片の遮蔽或いは離脱をコントロールする。
これにより、水流は管体から整流空間及び収容設置区に入った後、該出水口から、間欠的に投射水柱を噴出する。
【考案の効果】
【００１１】
事業所或いは店舗に設置し、各種異なる形態の噴水ショーを構成し、広告表示効果をも兼ね備え、消費者の足を店内に向かわせ消費に結びつける目的を達成できる。
【図面の簡単な説明】
【００１２】
【図１】本考案の立体図である。
【図２】本考案の回転噴水ユニット構造図である。
【図３】本考案のスイング噴水ユニット構造図である。
【図４】本考案のカラフル噴水ユニット構造図である。
【図５】本考案の間欠噴水ユニット構造図である。
【図６】本考案の動作状態図である。
【図７】本考案の別種の動作状態図である。
【考案を実施するための形態】
【００１３】
本考案の好適な実施例を図面に沿って説明する。
【実施例】
【００１４】
図１は、本考案の立体図である。
【００１５】
図に示す通り、本考案はボックス体１、及び該ボックス体１に設置する回転噴水ユニット２、スイング噴水ユニット３、カラフル噴水ユニット４、間欠噴水ユニット５、及びフォグマシン６、レーザープロジェクター８を備える。
【００１６】
該回転噴水ユニット２、スイング噴水ユニット３、カラフル噴水ユニット４、間欠噴水ユニット５、及びフォグマシン６は、ボックス体１の管体７にそれぞれ連接して設置され、給水源に連接される。
しかも該各ユニット及びレーザープロジェクター８は、ボックス体１に設置されるコントロール回路９にそれぞれ連接される。
【００１７】
図２は、本考案の回転噴水ユニット構造図である。
【００１８】
図１に対応して図に示す通り、本考案の回転噴水ユニット２は、台座体２１を設置する。
該台座体２１には、放射状に配列され、しかも出水口２２１が偏心設計である複数の噴射ヘッド２２を設置する。
該台座体２１は、出水バルブ２３及び水量調整部材２４に連接し、さらに水量調整部材２４は、管体７に連接する。
該水量調整部材２４は、コントロール回路９に連接し、出水量をコントロールする。
【００１９】
これにより、水流が管体７から噴射ヘッド２２へ流入すると、偏心設計の出水口２２１により、噴射ヘッド２２は回転させられ、回転水柱が産生される。
【００２０】
図３は、本考案のスイング噴水ユニット構造図である。
【００２１】
図１に対応して図に示す通り、本考案のスイング噴水ユニット３は、複数の台座体３１を設置し、該各台座体３１には噴射ヘッド３２をそれぞれ設置する。
これにより、各台座体３１は、出水バルブ３３及び水量調整部材３４に連接し、水量調整部材３４は管体７に連接する。
【００２２】
該各噴射ヘッド３２は、モーター３５に連接し、これにより該水量調整部材３４及びモーター３５は、コントロール回路９に連接し、出水量及び噴射ヘッド３２のスイングをコントロールする。
【００２３】
これにより、水流が管体７から噴射ヘッド３２へ流入すると、噴射ヘッド３２のスイングにより、スイング水柱が産生される。
【００２４】
図４は、本考案のカラフル噴水ユニット構造図である。
【００２５】
図１に対応して図に示す通り、本考案のカラフル噴水ユニット４は、台座体４１を設置する。
該台座体４１には、さまざまな色に変化するプロジェクションライト４２及び噴射ヘッド４３を設置し、該台座体４１は出水バルブ４４及び水量調整部材４５に連接し、水量調整部材４５は管体７に連接する。
【００２６】
該プロジェクションライト４２及び水量調整部材４５は、コントロール回路９に連接し、出水量及びプロジェクションライト４２の色変化をコントロールする。
【００２７】
これにより、水流が管体７から噴射ヘッド４３に流入すると、プロジェクションライト４２に対応し、カラフルな水柱を産生する。
【００２８】
図５は、本考案の間欠噴水ユニット構造図である。
【００２９】
図１に対応して図に示す通り、本考案の間欠噴水ユニット５は、台座体５１を設置する。
於台座体５１には、出水口５１１を設置し、台座体５１内部には、整流空間５１２及び収容設置区５１３を設置する。
該整流空間５１２は、管体７に連接し、収容設置区５１３には、遮蔽片５２を設置する。
該遮蔽片５２は、電磁バルブ５３に連接し、該電磁バルブ５３はコントロール回路９に連接し、出水口５１１に対する該遮蔽片の遮蔽或いは離脱をコントロールする。
【００３０】
これにより水流は管体７から整流空間５１２及び収容設置区５１３に入った後、出水口５１１から、間欠的に投射水柱を噴出する。
【００３１】
図６は、本考案の動作状態図である。
【００３２】
図に示す通り、本考案の使用時には、回転噴水ユニット２、スイング噴水ユニット３は、回転及びスイングする水柱を産生する。
該カラフル噴水ユニット４は、さまざまな色で光る水柱を産生し、該間欠噴水ユニット５は、間欠的に噴出投射水柱を作り出す。
【００３３】
こうして、ボックス体１内で、各種異なる形態の噴水ショーを構成し、事業所或いは店舗に設置して、消費者の耳目を惹くことができる。
【００３４】
図７は、本考案の別種の動作状態図である。
【００３５】
図に示す通り、本考案は前述のように噴水ショーを産生できる他、該フォグマシン６で霧状の煙幕を産生できる。
コントロール回路９は予め設置するプログラムに基づき、レーザープロジェクター８を駆動し文字或いは図案を煙幕に投射する。
【００３６】
こうして、ボックス体１内では各種異なる形態の噴水ショーを構成し、広告表示の効果を兼ね備え、事業所或いは店舗に設置し、消費者を惹きつける目的を達成できる。
【００３７】
上記を総合すると、本考案は以下の効果を備える。
異なる噴水ユニットにフォグマシン及びレーザープロジェクターを対応させ、ディスプレイスクリーン効果を備えた噴水装置を構成し、事業所或いは店舗に設置して、各種異なる形態の噴水ショーを構成し、及び広告表示効果を兼ね備え、消費者の足を店内に向かわせ消費に結びつける目的を達成できる。
【産業上の利用可能性】
【００３８】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３９】
１  ボックス体
２  回転噴水ユニット
２１  台座体
２２  噴射ヘッド
２２１  出水口
２３  出水バルブ
２４  水量調整部材
３  スイング噴水ユニット
３１  台座体
３２  噴射ヘッド
３３  出水バルブ
３４  水量調整部材
３５  モーター
４  カラフル噴水ユニット
４１  台座体
４２  プロジェクションライト
４３    噴射ヘッド
４４  出水バルブ
４５  水量調整部材
５  間欠噴水ユニット
５１  台座体
５１１  出水口
５１２  整流空間
５１３  収容設置区
５２  遮蔽片
５３  電磁バルブ
６  フォグマシン
７  管体
８  レーザープロジェクター
９  コントロール回路
【図１】
0003232473.tif 000003
【図２】
0003232473.tif 000004
【図３】
0003232473.tif 000005
【図４】
0003232473.tif 000006
【図５】
0003232473.tif 000007
【図６】
0003232473.tif 000008
【図７】
0003232473.tif 000009